(57)【要約】【課題】横方向に隣り合う壁パネルの接合部の縦ラインをより目立たなくするための新規な技術を提案する。【解決手段】模様部１０により表面模様６が形成される長方形状の壁パネル１において、模様部１０と目地部（縦目地部２０，横目地部３０）が壁パネル１の長辺方向および短片方向で交互に配置されており、短片方向で隣り合う連続目地部２５を備え、連続目地部２５横に配置される模様部１０の長片方向の幅のうち一番小さい幅ＸＡ（図４）は、連続目地部２５横以外に配置される模様部１０の長片方向の幅のうち一番小さい幅ＸＢ（図４）よりも小さい、こととする。【選択図】図１
2015105519.tif 000002
【特許請求の範囲】
【請求項１】
模様部により表面模様が形成される長方形状の壁パネルにおいて、
模様部と目地部が壁パネルの長辺方向および短片方向で交互に配置されており、
短片方向で隣り合う連続目地部を備え、
前記連続目地部横に配置される模様部の前記長片方向の幅のうち一番小さい幅は、
前記連続目地部横以外に配置される模様部の前記長片方向の幅のうち一番小さい幅よりも小さい、
ことを特徴とする壁パネル。
【請求項２】
前記連続目地部に接して前記連続目地部の横に配置される模様部の少なくとも一つの模様部の前記長辺方向の幅は、当該一つの模様部の前記短辺方向の幅以下である、
ことを特徴とする、請求項１に記載の壁パネル。
【請求項３】
前記連続目地部は、
前記壁パネルの長辺方向の中途部の少なくとも一箇所、
及び、
両端部の少なくとも一方、
にそれぞれ形成される、
ことを特徴とする請求項１又は請求項２に記載の壁パネル。
【発明の詳細な説明】
【技術分野】
【０００１】
本発明は、住宅などの建物の外装や内装の美観を向上させるための技術に関するものであり、より詳しくは、外装や内装の壁を構成する壁パネルの構造に関する。
【背景技術】
【０００２】
従来、住宅などの建物の外装（外壁）や内装（室内壁、通路壁など）において、板状（壁パネル状）の壁パネルを並設することで、外装や内装の壁を構成することが行われている。隣り合う壁パネルは接合され、外観において連続した一連の壁表面が形成される。
【０００３】
おもて面に凹凸を施すことでタイル調、レンガ調、石調とする壁パネルも知られており、例えば、各凸模様部の間に縦横の目地が構成される壁パネルが知られている（例えば、特許文献１参照）。
【０００４】
特許文献１では、壁パネル（建築用板）のおもて面に、ほぼ方形状の凸模様部を有するものについて、左右（横方向）に隣り合う壁パネルの境界部（接合部）で、分割された凸模様部を構成しないための技術について開示している。
【先行技術文献】
【特許文献】
【０００５】
【特許文献１】特開２００２−３８６９１号公報
【発明の概要】
【発明が解決しようとする課題】
【０００６】
特許文献１に開示されるような技術は、予め工場などで加工された壁パネルをそのままの状態で施工現場で使用する、つまり、施工現場での横幅寸法調整のための切断加工をせずに使用する場合について適用できる技術である。
【０００７】
このため、施工現場の情況に合わせて壁パネルの横幅を縮小するための切断加工がされる場合には、特許文献１に開示される技術は対応できないものとなる。
【０００８】
例えば、縦４５５ｍｍ×横１８２０ｍｍの寸法を有する壁パネルを利用する場合において、施工現場にて横幅寸法を縮小する切断加工がされる場合には、縮小された後の横幅寸法が予測できないため、切断箇所において凸模様部がどのような形で残るのかは予測できない。
【０００９】
他方、横方向に隣り合う壁パネルの接合部（左右の境界部や出隅材との取り合い部など）には、上下方向（縦方向）に伸びる縦ライン（目地）が形成されることになるが、この縦ラインは目立たないことが好ましい。壁パネルの接合部の縦ラインが目立ってしまうと、外壁の美観を損なうことになり、また、施工上の不具合であるがごとくの印象を与えてしまうからである。
【００１０】
ところが、縦ラインに最も近い箇所に配置される凸模様部の形状によっては、縦ラインが目立ち易い情況が生じることになる。例えば、凸模様部が横に長い方形状である壁パネルを切断加工したときに、接合部に最も近い凸模様部の形状が縦に細長い形状（幅の狭いブロック形状）となる場合がある。
【００１１】
このような場合、縦に細長い形状の凸模様部が、他の横に長い形状の凸模様部と顕著に異なる形状となって看者の注意を引いてしまい、接合部の縦ラインをより目立たせてしまうことになる。
【００１２】
そこで、本発明は、以上の問題に鑑み、横方向に隣り合う壁パネルの接合部の縦ラインをより目立たなくするための新規な技術を提案する。
【課題を解決するための手段】
【００１３】
本発明の解決しようとする課題は以上の如くであり、次にこの課題を解決するための手段を説明する。
【００１４】
即ち、請求項１に記載のごとく、模様部により表面模様が形成される長方形状の壁パネルにおいて、模様部と目地部が壁パネルの長辺方向および短片方向で交互に配置されており、短片方向で隣り合う連続目地部を備え、前記連続目地部横に配置される模様部の前記長片方向の幅のうち一番小さい幅は、前記連続目地部横以外に配置される模様部の前記長片方向の幅のうち一番小さい幅よりも小さい、こととする。
【００１５】
また、請求項２に記載のごとく、前記連続目地部に接して前記連続目地部の横に配置される模様部の少なくとも一つの模様部の前記長辺方向の幅は、当該一つの模様部の前記短辺方向の幅以下である、こととする。
【００１６】
また、請求項３に記載のごとく、前記連続目地部は、前記壁パネルの長辺方向の中途部の少なくとも一箇所、及び、両端部の少なくとも一方、にそれぞれ形成される、こととする。
【発明の効果】
【００１７】
本発明の効果として、以下に示すような効果を奏する。
【００１８】
即ち、請求項１に記載の発明においては、施工現場において切断加工がなされ、接合部において幅の狭い模様部が存在する施工がなされた場合であっても、連続目地部の横の幅の狭い模様部に視線を散らすことができ、新たに形成された模様部に視線を集中させずに、接合部の縦ラインを目立たなくすることができる。
【００１９】
また、請求項２に記載の発明においては、連続目地部の横に配置される少なくとも一つの模様部を正方形、或いは、縦方向に長い長方形状とすることができ、連続目地部に接しない位置に配置される他の模様部の幅と比較すると、より幅の狭い模様部が実現される。そして、切断加工により新たに幅の狭い模様部が形成された場合であっても、模様部に視線を散らすことができ、より効果的に接合部の縦ラインを目立たなくすることができる。
【００２０】
また、請求項３に記載の発明においては、連続目地部が複数箇所に配置されることになり、各連続目地部に効果的に視線を散らすことができ、より効果的に接合部の縦ラインを目立たなくすることができる。また、接合部と成り得る箇所、つまりは、壁パネルの横方向の端部にも連続目地部が配置されることで、施工現場で切断加工をせずに壁パネルをそのまま使用する際に、連続目地部を横方向において満遍なく配置させることができ、特定の連続目地部に視線が集中し、連続目地部そのものが目立ってしまうことを防止できる。
【図面の簡単な説明】
【００２１】
【図１】本発明の一実施例に係る壁パネルの構成について示す図。
【図２】複数の壁パネルを並べて設置した状態について示す図。
【図３】表面模様等について説明する図。
【図４】連続目地部等について説明する図。
【図５】（Ａ）は、行の右端部において隆起部、窪み部が配置される場合について示す図。（Ｂ）は、行の右端部において窪み部、窪み部が配置される場合について示す図。
【図６】切断加工後の壁パネルの断面の一例を示す図。
【図７】（Ａ）は、切断加工後にバリが生じる様子について示す図。（Ｂ）は、面取り加工されて面取部が形成された状態について示す図。
【図８】（Ａ）は、連続面取部が形成される状態について示す図。（Ｂ）は、既存面取部が形成される場合について示す図。（Ｃ）は、隆起部と窪み部が隣り合う場合について示す図。（Ｄ）は、窪み部と窪み部が隣り合う場合について示す図。
【図９】接合部において幅の狭い模様部が形成される場合について示す図。
【発明を実施するための形態】
【００２２】
以下図面を参照し、より詳細に説明する。
図１及び図２に示すごとく、壁パネル１は、縦寸法よりも横寸法が長い長方形状のパネルにて構成される。複数の壁パネル１の上下の端部同士、左右の端部同士を接合することで、連続した一連の壁面を構成できるようになっている。
【００２３】
壁パネル１の左右の縦端辺２ａ，２ｂや上下の横端辺４ａ，４ｂには合抉部が形成され、隣り合う壁パネル１を実嵌合（実接合）できるようになっている。
【００２４】
なお、壁パネル１の四辺の全てに合抉部を構成して四辺合抉接合がされる構成とするほか、壁パネル１の三辺に合抉部を構成して三辺合抉接合がされる構成としてもよい。
【００２５】
また、以下の実施例においては、横方向に隣り合う壁パネル１同士は、実嵌合や接合金具などを用いる乾式結合（乾式シーリング）の例を用いて説明するが、シーリング材を用いた湿式結合（湿式シーリング）についても本発明を適用することができる。
【００２６】
また、以下の実施例においては、壁パネル１同士の接合について説明するが、壁パネル１と同様の表面模様６を有する出隅用パネルと壁パネルを接合する場合にも、本発明は適用できる。
【００２７】
図１及び図２に示すように、本実施例の壁パネル１は窯業系サイディングにて構成されており、表面に複数の模様部１０が縦方向（上下方向）、横方向（左右方向）に配設されることで、模様部１０を有してなる表面模様６が構成される。この表面模様６は、プレス機械にてプレスパターンを転写することで形成される。
【００２８】
図１に示すごとく、表面模様６は、横方向の一まとまりの行６１，６２を、上下方向に複数行並べて構成される。各行６１，６２において、隣り合う模様部１０の間には、壁パネル１の厚み方向において模様部１０よりも低い位置に縦目地部２０が縦方向に形成される。また、各行６１，６２の間には、壁パネル１の厚み方向において模様部１０よりも低い位置に横目地部３０が横方向に形成される。
【００２９】
各模様部１０は、縦目地部２０と横目地部３０によって周囲を囲まれることで画成され、それぞれが略方形状の単位形状（全体としてパターンを構成するための一要素）をなすように設計されている。
【００３０】
図３に示す実施例の模様部１０は、その表面において凹凸を有する立体的平面を構成する。より具体的には、その表面に窪み部４０を形成し、残りの部位を隆起部５０として残すことにより、自然石の石積みを模した立体的な意匠を構成することとしている。
【００３１】
図１乃至図４に示すごとく、表面模様６にはダミー目地部を構成する連続目地部２５が形成される。この連続目地部２５は、縦目地部２０を上下に隣り合う少なくとも二つの行６１，６２を上下方向に横断するように一直線に通すことで形成される。本実施例では、三つの行６１，６２，６３を横断することで、三つの行６１，６２，６３を跨ぐ一連の連続目地部２５が形成されている。
【００３２】
このような連続目地部２５は、他の部位の縦目地部２０と異なり、上下方向の幅が広いため看者の視線を集中させる効果が得られる。そして、この効果によって、壁パネル１を４枚接合した状態の図２に示すごとく、壁パネル１の接合部５の縦ライン５ａへの視線を連続目地部２５へと散らすことができ、壁パネル１の接合部５に形成され得る縦ライン５ａを目立ち難くすることができる。
【００３３】
なお、図２においては、連続目地部２５が形成される位置の一部を、楕円で囲んで表現している。このように、連続目地部２５が壁パネル１の複数箇所に点在するように配置されることで、視線を散らし易くなるといった効果が得られる。
【００３４】
以上のように構成される壁パネル１は、施工現場に搬入されたままの状態で使用されるほか、施工現場の状況に合わせて切断加工を行い、横幅寸法調整を実施することが想定される。
【００３５】
ここで、切断加工後の横幅寸法は施工現場において決められるため、切断加工後の壁パネル１の横方向端部（縦辺部）の模様部１０は、切断加工後の横幅寸法に応じて形成されることになる。
【００３６】
このため、例えば、図５（Ａ）のように、行６１，６２の右端部において、それぞれ窪み部４０、隆起部５０が配置される場合や、図５（Ｂ）のように、行６１，６２の右端部において、それぞれ窪み部４０、窪み部４０が配置されることが考えられる。
【００３７】
図６は、切断加工後の壁パネル１の断面の一例を示すものである。上端部には表実部６４が形成され、下端部には裏実部６６が形成される。また、各行６１においては、隆起部５０、窪み部４０が切断箇所に応じて現れ、行６１の間には横目地部３０が現れる。
【００３８】
図６に示される上下方向の途中部に現れる行６１の凹凸は、プレス成型によるパターンの転写により形成される。一方で、表実部６４が形成される上端部の行６５の上端斜面６５ａや、裏実部６６が形成される下端部の行６７の下端斜面６７ａは、切削（カッティング）によって形成される。
【００３９】
このため、図６に示すごとく、上下端の行６５，６７の上端斜面６５ａ、下端斜面６７ａのエッジ箇所６５ｅ，６７ｅ（それぞれ模様部１０の上端側、下端側の角部）の角度（エッジ角）は、他のエッジ箇所６０ｅ（プレスにより形成されたままのエッジ箇所）と比べてより鋭くなる、つまり、より角が立った状態となる。
【００４０】
図７（Ａ）は、切断加工後に生じる横方向端部（右端部）のバリ５２について示すものであり、このバリ５２が面取り加工（バリ取り加工）によって除去される。この面取り加工は、作業者がヤスリなどで行うことが想定され、特に隆起部５０のバリ５２が大きく除去されて、図７（Ｂ）に示すように、幅Ｗ１の面取部５４が形成される。なお、窪み部４０についてはバリ５２が形成されない、或いは、形成されたとしても極微小であるため、面取り加工がされないことが想定される。
【００４１】
また、図８（Ａ）に示すように、切断加工された壁パネル１Ａ，１Ｂ同士を左右方向に切断した場合、行６１において隆起部５０が隣り合う場合には、幅Ｗ１の面取部５４同士が向き合い、略Ｖ字溝をなす幅の広い連続面取部５６が形成されることになる。
【００４２】
また、図８（Ｂ）に示すように、例えば、一方の壁パネル１Ｂが切断加工がされていない場合であって、施工現場において搬入された状態のまま使用される場合であっても、工場での製作時において形成されたり、或いは、面取部５４と同様の外観を生じさせる模様部の傾斜面部が、既存面取部５５として接合部５に配置される場合には、行６１において、この既存面取部５５が切断加工された面取部５４と隣り合い、略Ｖ字溝をなす幅の広い連続面取部５６が形成されることになる。
【００４３】
また、図８（Ｃ）に示すように、切断加工された壁パネル１Ａ，１Ｂ同士の接合部５において、行６１において隆起部５０と窪み部４０が隣り合う場合には、幅Ｗ１の面取部５４のみが接合部５に現れることになる。
【００４４】
さらに、図８（Ｄ）に示すように、切断加工された壁パネル１Ａ，１Ｂ同士の接合部５において、行６１において窪み部４０と窪み部４０が隣り合う場合には、接合部５に面取部５４が現れない情況となる。
【００４５】
以上の構成において、さらに以下の点に特徴的な構成を有する。
即ち、図１、図４、及び、図９に示すごとく、模様部１０により表面模様６が形成される長方形状の壁パネル１において、模様部１０と目地部（縦目地部２０，横目地部３０）が壁パネル１の長辺方向（図１のＸ方向）および短片方向（図１のＹ方向）で交互に配置されており、短片方向で隣り合う連続目地部２５を備え、連続目地部２５横に配置される模様部１０の長片方向の幅のうち一番小さい幅ＸＡ（図４）は、連続目地部２５横以外に配置される模様部１０の長片方向の幅のうち一番小さい幅ＸＢ（図４）よりも小さい、こととする。
【００４６】
換言すれば、凹凸により表面模様６が形成されている方形状の壁パネル１であって、表面模様６は、複数の模様部１０と複数の縦目地部２０を交互に横方向に配設してなる行６１，６２を、横目地部３０を挟んで上下方向に配設して構成されており、上下に隣り合う少なくとも二つの行６１，６２の縦目地部２０は、上下に隣り合う少なくとも二つの行６１，６２を上下方向に横断する一連の連続目地部２５を形成し、連続目地部２５に接して連続目地部２５の横に配置される模様部１０のうち一番小さい模様部１０Ａの幅ＸＡ（図４）は、連続目地部２５の横以外に配置される模様部１０の長片方向の幅のうち一番小さい幅ＸＢ（図４）よりも小さいこととしている。
【００４７】
これにより、図９に示すごとく、施工現場において切断加工がなされ、接合部５において幅ＸＣの狭い模様部１０Ｃが存在する施工がなされた場合であっても、連続目地部２５の横の幅の狭い模様部１０Ａに視線を散らすことができ、新たに形成された模様部１０Ｃに視線を集中させずに、接合部５の縦ライン５ａを目立たなくすることができる。
【００４８】
また、図４に示すごとく、連続目地部２５に接して連続目地部２５の横に配置される模様部１０の少なくとも一つの模様部１０Ａの長辺方向の幅ＸＡは、当該一つの模様部１０の短辺方向の幅（縦幅ＹＡ）以下である、こととしている。
【００４９】
これにより、図４に示すように、連続目地部２５の横に配置される少なくとも一つの模様部１０Ａを正方形、或いは、縦方向に長い長方形状とすることができ、連続目地部２５に接しない位置に配置される他の模様部１０の幅（例えば幅ＸＢ）と比較すると、より幅の狭い模様部１０Ａが実現される。そして、切断加工により新たに幅ＸＣの狭い模様部１０Ｃが形成された場合であっても、模様部１０Ａに視線を散らすことができ、より効果的に接合部５の縦ライン５ａを目立たなくすることができる。
【００５０】
また、図１及び図２に示すごとく、連続目地部２５は、壁パネル１の横方向（矢印Ｘ方向）の中途部の少なくとも一箇所、及び、両端部の少なくとも一方（図１の例では左縦辺２ａ）、にそれぞれ形成される、こととしている。
【００５１】
これにより、連続目地部２５が複数箇所に配置されることになり、各連続目地部２５に効果的に視線を散らすことができ、図２に示すごとく、より効果的に接合部５の縦ライン５ａを目立たなくすることができる。また、接合部５と成り得る箇所、つまりは、壁パネル１の横方向の端部にも連続目地部２５が配置されることで、施工現場で切断加工をせずに壁パネル１をそのまま使用する際に、連続目地部２５を横方向において満遍なく配置させることができ、特定の連続目地部２５に視線が集中し、連続目地部２５そのものが目立ってしまうことを防止できる。
【００５２】
なお、以上で説明した実施例において奏される効果は、壁パネルを実嵌合や接合金具などを用いた乾式結合（乾式シーリング）の形態のほか、シーリング材を用いた湿式結合（湿式シーリング）の形態の場合でも奏することができる。例えば、表面パターンがレンガ乱積みのように、パターンの目地がシーリング目地と同等の幅を形成する場合において、上述した連続目地部を表面パターンに設けることによれば、当該連続目地部に視線を散らすといったことが可能となる。
【００５３】
さらに、例えば、従来は、各施工現場において、接合部の縦ラインの見え方によって作業者が自己判断で、より接合部の縦ラインが目立たないようにするために（接合箇所の違和感を現象させる）、壁パネルを切断して寸法調整を行うことが想定されるものであった。
【００５４】
この点、本発明の構成によれば、どのような寸法調整を行ったとしても縦ラインが目立ち難い接合が実現されるため、切り出し枚数を低減することができ、壁パネルの歩留まり性を向上することができる。
【産業上の利用可能性】
【００５５】
本発明は、住宅などの建物の外装（外壁）や内装（室内壁、通路壁など）を形成するための壁パネルについて幅広く適用可能である。
【符号の説明】
【００５６】
１    壁パネル
５    接合部
５ａ    縦ライン
６    表面模様
１０    模様部
２０    縦目地部
２５    連続目地部
３０    横目地部
５０    隆起部
５２    バリ
５４    面取部
５６    連続面取部
６１    行 
【図１】
2015105519.tif 000003
【図２】
2015105519.tif 000004
【図４】
2015105519.tif 000005
【図６】
2015105519.tif 000006
【図７】
2015105519.tif 000007
【図８】
2015105519.tif 000008
【図９】
2015105519.tif 000009
【図３】
2015105519.tif 000010
【図５】
2015105519.tif 000011